(57)【要約】【課題】薄い段ボールを使用しても、製箱時に段ボールが引裂帯の折目線で折れ曲がる現象を防止でき、積上時における胴膨れも防止できるようにする。【解決手段】稜部罫線１を介して立面板２と平面板３とを連設し、立面板２に、その両端間に亘る開封用の引裂帯７を設けると共に、引裂帯７の切始部８を設け、引裂帯７は、周期的に湾曲した２本の波状切目線７ａにより形成し、各切目線７ａは、段ボールの表裏に貫通する全切部７ｂと、段ボールが裏側から厚さ方向の途中まで切り込まれた半切部７ｃとが交互に断続するリード罫とし、立面板２と平面板３とを稜部罫線１沿いに折り曲げて製箱する引裂帯付き段ボール箱において、前記引裂帯７を形成する波状切目線７ａの振幅中心線を、立面板２と平面板３との境界の稜部罫線１に対して傾斜させ、稜部罫線１方向の単位長さ当たりの切目線７ａを長くして、折曲強度を高める。【選択図】図１
2009262995.tif 000002
【特許請求の範囲】
【請求項１】
稜部罫線(1)を介して立面板(2)と平面板(3)とを連設し、立面板(2)に、その両端間に亘る開封用の引裂帯(7)を設けると共に、引裂帯(7)の切始部(8)を設け、引裂帯(7)は、周期的に湾曲した２本の波状切目線(7a)により形成し、各切目線(7a)は、段ボールの表裏に貫通する全切部(7b)と、段ボールが裏側から厚さ方向の途中まで切り込まれた半切部(7c)とが交互に断続するリード罫とし、立面板(2)と平面板(3)とを稜部罫線(1)沿いに折り曲げて製箱する引裂帯付き段ボール箱において、前記引裂帯(7)を形成する波状切目線(7a)の振幅中心線を、立面板(2)と平面板(3)との境界の稜部罫線(1)に対して傾斜させたことを特徴とする引裂帯付き段ボール箱。
【請求項２】
前記引裂帯(7)を形成する２本の波状切目線(7a)の振幅中心線を、立面板(2)の中央部に位置する切始部(8)の部分で間隔が最大となり、両端へかけて間隔が小さくなるようにテーパー状に配置したことを特徴とする請求項１に記載の引裂帯付き段ボール箱。
【請求項３】
前記引裂帯(7)を形成する２本の波状切目線(7a)の振幅中心線を、立面板(2)の中央側に位置する切始部(8)から両端へかけて間隔が均等となるように平行に配置したことを特徴とする請求項１に記載の引裂帯付き段ボール箱。
【発明の詳細な説明】
【技術分野】
【０００１】
この発明は、開封用引裂帯を有する段ボール箱に関するものである。
【背景技術】
【０００２】
従来、下記特許文献１には、図９に示すように、稜部罫線５１を介して連設した各一対の立面板５２と平面板５３とを折り曲げ、集積した飲料缶Ｃを包み込んで、継代片５４での接合により周壁を形成し、立面板５２及び平面板５３からそれぞれ延びる端板５５，５６を貼り合わせて封緘するラップラウンド式段ボール箱が記載されている。
【０００３】
立面板５２には、開封用引裂帯５７及びその切始部５８が設けられ、引裂帯５７は、周期的に湾曲した２本の波状切目線５７ａにより形成されている。
【０００４】
各切目線５７ａは、段ボールの表裏に貫通する全切部５７ｂと、段ボールが裏側から厚さ方向の途中まで切り込まれた半切部５７ｃとが交互に断続するリード罫とされ、その振幅中心線は、稜部罫線５１に対して平行となっている。
【０００５】
引裂帯５７をこのように構成したのは、ケーサーでの製箱に際して、段ボールが所定の稜部罫線５１ではなく、引裂帯５７の切目線５７ａで内側へ折れ曲がる現象を防止して、製箱不良の発生を抑制するためである。また、包装状態で複数個の段ボール箱を積み上げたとき、立面板５２に胴膨れが生じる現象を防止するためでもある。
【０００６】
この段ボール箱を、例えば店頭での陳列時に開封する際には、切始部５８を押し込んで摘み、引裂帯５７を引っ張って立面板５２及び端板５５の段ボールを切断し、段ボール箱の上部を除去して、トレー状となった段ボール箱から缶Ｃを露出させることにより、陳列効果を高めると共に、缶Ｃを容易に取り出せるようにする。
【０００７】
【特許文献１】国際公開ＷＯ２００８／０１８５３５号パンフレット
【発明の開示】
【発明が解決しようとする課題】
【０００８】
ところで、近年、ゴミの減量化や包装コスト削減のため、段ボール箱の材料として、薄い原紙から構成される段ボールが使用されたり、Ｆ段やＧ段等の薄手の段ボールが使用される場合がある。
【０００９】
このような材料を用いると、上記のように引裂帯を構成してもなお、製箱に際し、段ボールが所定の稜部罫線ではなく、引裂帯の切目線で内側へ折れ曲がったり、包装状態で積み上げたとき、立面板が切目線で座屈して、胴膨れが生じたりするおそれがある。
【００１０】
そこで、この発明は、折曲強度に乏しい薄い段ボールを使用しても、製箱時に段ボールが引裂帯の折目線で折れ曲がる現象を防止でき、積上時における胴膨れも防止できる段ボール箱を提供することを課題とする。
【課題を解決するための手段】
【００１１】
上記課題を解決するため、この発明は、稜部罫線を介して立面板と平面板とを連設し、立面板に、その両端間に亘る開封用の引裂帯を設けると共に、引裂帯の切始部を設け、引裂帯は、周期的に湾曲した２本の波状切目線により形成し、各切目線は、段ボールの表裏に貫通する全切部と、段ボールが裏側から厚さ方向の途中まで切り込まれた半切部とが交互に断続するリード罫とし、立面板と平面板とを稜部罫線沿いに折り曲げて製箱する引裂帯付き段ボール箱において、前記引裂帯を形成する波状切目線の振幅中心線を、立面板と平面板との境界の稜部罫線に対して傾斜させたのである。
【００１２】
また、前記引裂帯を形成する２本の波状切目線の振幅中心線を、立面板の中央部に位置する切始部の部分で間隔が最大となり、両端へ向けて間隔が小さくなるようにテーパー状に配置し、或いは、これに代えて、立面板の中央側に位置する切始部から両端へかけて間隔が均等となるように平行に配置したのである。
【００１３】
このように構成すると、稜部罫線の方向における単位長さ当たりの切目線の長さが、振幅中心線を稜部罫線に平行な直線とした場合に対して長くなるので、切目線における折曲強度が向上し、段ボールが切目線に沿って不意に折れ曲がりにくくなる。
【発明の効果】
【００１４】
この発明に係る段ボール箱では、上記のように、立面板に設けた引裂帯の切目線における折曲強度が向上するので、薄い段ボールを使用しても、ケーサーでの製箱時に段ボールが引裂帯の切目線で折れ曲がる現象が効果的に防止され、製箱不良の発生が抑制されると共に、積上時の座屈による胴膨れも防止される。
【発明を実施するための最良の形態】
【００１５】
まず、この発明の第１実施形態を図１乃至図４に基づいて説明する。
【００１６】
この段ボール箱は、２４本の飲料缶を６本ずつ４列に並べて包装するものであり、図３に示すブランクから形成される。
【００１７】
このブランクでは、稜部罫線１を介して各一対の立面板２及び平面板３が交互に連設され、一方の立面板２に稜部罫線１を介して継代片４が連設されている。立面板２及び平面板３の両端には端板５，６がそれぞれ連設されている。
【００１８】
立面板２には、稜部罫線１に並行する開封用の引裂帯７が設けられ、これに連続して、端板５にも引裂帯７が設けられている。立面板２の中央部には、開封時に引裂帯７の端部を摘む切始部８が設けられている。
【００１９】
ここで、図２に示すように、立面板２における引裂帯７は、周期的に湾曲して対称形状となった２本の波状切目線７ａにより形成されている。
【００２０】
各切目線７ａの振幅中心線Ｓは、稜部罫線１に対して傾斜し、立面板２の中央部に位置する切始部８の部分で間隔が最大となり、両端へかけて間隔が小さくなるようにテーパー状に配置されている。
【００２１】
また、各切目線７ａは、段ボールの表裏に貫通する全切部７ｂと、段ボールが裏側から厚さ方向の途中まで切り込まれた半切部７ｃとが交互に断続し、全切部７ｂと半切部７ｃの間に切り込みのない繋部が設けられたリード罫とされている。全切部７ｂは、半切部７ｃよりも長くなっている。
【００２２】
なお、箱のサイズや材質に応じて、切目線７ａの波長は、４０ｍｍ〜８０ｍｍとし、波高は、５ｍｍ〜１５ｍｍ、好ましくは１０ｍｍ以上としておく。また、一周期ごとに、波長及び波高が変化するようにしてもよい。
【００２３】
そして、稜部罫線１の方向における単位長さ当たりの切目線７ａの長さが、稜部罫線１に平行な直線とした場合に対し４０〜５０％長くなるようにする。
【００２４】
立面板２の両端において、引裂帯７は、高さ方向の中央部に位置し、端板５へ続く２本の半切の切目線７ａにより、引裂帯７が端板５の先端まで延長され、端板５における引裂帯７は、突き合わされた端板６の肩部間から覗いている。
【００２５】
また、切始部８は、段ボールの表裏に貫通する全切の切目８ａを波形にほぼ対応する変形Ｈ字状に入れることにより形成されている。
【００２６】
そのほか、立面板２には、引裂帯７の外部に、段ボールの表側から押圧して裏側へ膨出させることにより、稜部罫線１と直交する段目方向のリブ９が複数本間隔をあけて平行に入れられている。
【００２７】
上記ブランクは、ダイカッタに装備した抜型で打ち抜くことにより製造される。この抜型には、外周の輪郭を打ち抜く切刃、稜部罫線を入れる押圧部材に加えて、引裂帯７の切目線７ａを入れるリード罫刃及び切始部の切目８ａを入れる切刃が設けられ、抜型に対向する面板に、リブ９を入れる押圧部材が設けられる。
【００２８】
このような抜型で打ち抜いたブランクを組み立てて、図１に示すように、飲料缶Ｃを包装する際には、ラップラウンドケーサーを用いて、稜部罫線１に沿って各一対の立面板２及び平面板３を折り曲げ、集積した缶Ｃを包み込んで、継代片４での接合により周壁を形成し、端板５，６を貼り合わせて封緘する。
【００２９】
ここで、上記のような段ボール箱では、引裂帯７の切目線７ａを波状とし、その全切部７ｂ間の半切部７ｃを段ボールの裏側から入れたことに加えて、切目線７ａの振幅中心線を、稜部罫線１に対して傾斜させているので、従来のものに比べて、ブランクの切目線７ａにおける内側への折曲強度が大きくなっている。
【００３０】
このため、材料の段ボールが薄い原紙から構成されるものや、Ｆ段やＧ段等の薄手のものであっても、図４に示すように、ラップラウンドケーサーで稜部罫線１に沿ってブランクを折り曲げる際、ブランクが切目線７ａに沿って不意に内側へ折れ曲がることがなく、稜部罫線１に沿って正確に折れ曲がり、製箱不良の発生を防止することができる。
【００３１】
また、上記段ボール箱の製造時には、引裂帯７の切目線７ａと切始部８の切目８ａとを同一の抜型で入れることから、これらの位置関係がずれることがなく、一般的なコルゲータでのライナカット後にダイカッタで切目８ａを入れる製造方法に比べて、不良率を大幅に低下させることができる。
【００３２】
そして、開封に際し、引裂帯７を切始部８から引っ張ると、ライナカットで切目線を入れたもののように、引裂帯７が途中で千切れて開封不能となることなく、半切部７ｃに沿って全切部７ｂが繋がるように段ボールが切断され、容易に開封することができる。
【００３３】
一方、物流過程において、缶Ｃを包装した状態で複数個の段ボール箱を積み上げる際、下段側の段ボール箱には、上段側の段ボール箱の荷重が作用するが、立面板２が切目線７ａに沿って座屈しにくく、また、段ボールの表側から裏側へ膨出するリブ９が入れられているので、下段側段ボール箱の胴膨れを防止することができる。
【００３４】
次に、この発明の第２実施形態を図５及び図６に基づいて説明する。
【００３５】
この段ボール箱は、基本的な箱形式において、上記第１実施形態のものと共通するが、引裂帯７を形成する２本の波状切目線７ａの振幅中心線Ｓは、立面板２の中央上部に位置する切始部８から両端へかけて間隔が均等となるように平行に配置され、引裂帯７は、切始部８側の位置が高く、立面板２の両端へかけて位置が低くなる山形状とされている。
【００３６】
このように構成しても、上記実施形態と同様、ラップラウンドケーサーでの製箱時に段ボールが引裂帯７の切目線７ａで折れ曲がる現象が効果的に防止され、製箱不良の発生が抑制されると共に、積上時の座屈による胴膨れも防止される。
【００３７】
なお、切始部８を立面板２の中央下部に位置させ、引裂帯７は、切始部８側の位置が低く、立面板２の両端へかけて位置が高くなる谷形状としてもよい。
【００３８】
次に、この発明の第３実施形態を図７及び図８に基づいて説明する。
【００３９】
この段ボール箱もまた、基本的な箱形式において、上記第１実施形態のものと共通するが、引裂帯７は、上記第２実施形態のものと略共通し、第２実施形態とは、波状切目線７ａの傾斜が緩く、間隔をあけて分離された切始部８の間に、全切の切目線１０ａを門形に入れて、広告表示部１０を設け、切目線１０ａの上部を、立面板２と平面板３の稜部罫線１に沿わせた点で相違している。
【００４０】
このように構成しても、ラップラウンドケーサーでの製箱時に、段ボールが切目線１０ａで弱められた稜部罫線１に沿って折れ曲がりやすくなることも相俟って、上記実施形態と同様、引裂帯７の切目線７ａで折れ曲がる現象が効果的に防止され、製箱不良の発生が抑制されると共に、積上時の座屈による胴膨れも防止される。
【００４１】
また、開封してトレー状とした状態において、広告表示部１０が上方に突出して残存するので、広告表示部１０に強い印象を与える図柄等を印刷しておくことにより、陳列時の訴求効果を高めることができる。
【００４２】
ところで、上記各実施形態では、稜部がそれぞれ直角に折り曲げられた直方体状の段ボール箱を例示したが、これらの稜部に面取状の斜面を形成した八角筒状の周壁を有する段ボール箱においても、同様の構成を適用できる。
【００４３】
また、ラップラウンド式の段ボール箱を例示したが、隣接する立面板の上下から延びる平面板を重ね合わせて封緘する溝切型段ボール箱においても、立面板に上記と同様の引裂帯やリブを入れると、同様の効果を得ることができる。
【００４４】
なお、上記第２及び第３実施形態では、引裂帯７を形成する２本の波状切目線７ａの振幅中心線Ｓが平行に配置されているが、２本の波状切目線７ａは、傾斜方向が同じで立面板２の中央側での間隔が大きくなるようにテーパー状に配置してもよい。
【００４５】
さらに、上記各実施形態では、２本の波状切目線７ａを共に稜部罫線１に対して傾斜させたが、いずれか１本の切目線７ａのみを傾斜させ、他方の切目線７ａを稜部罫線１と平行になるように配置してもよい。
【図面の簡単な説明】
【００４６】
【図１】この発明の第１実施形態に係る段ボール箱の組立状態を示す斜視図
【図２】同上の立面板を示す正面図
【図３】同上のブランクを示す図
【図４】同上の製箱過程を示す部分斜視図
【図５】この発明の第２実施形態に係る段ボール箱の組立状態を示す斜視図
【図６】同上の立面板を示す正面図
【図７】この発明の第３実施形態に係る段ボール箱の組立状態を示す斜視図
【図８】同上の立面板を示す正面図
【図９】従来の段ボール箱の組立状態を示す斜視図
【符号の説明】
【００４７】
１  稜部罫線
２  立面板
３  平面板
４  継代片
５，６  端板
７  引裂帯
７ａ  切目線
７ｂ  全切部
７ｃ  半切部
８  切始部
８ａ  切目
９  リブ
１０  広告表示部
１０ａ  切目線
【図１】
2009262995.tif 000003
【図２】
2009262995.tif 000004
【図３】
2009262995.tif 000005
【図４】
2009262995.tif 000006
【図５】
2009262995.tif 000007
【図６】
2009262995.tif 000008
【図７】
2009262995.tif 000009
【図８】
2009262995.tif 000010
【図９】
2009262995.tif 000011